(57)【要約】【課題】  主基板１０ａに設けた７セグ表示部６１１を、所定の角度以外からの視認を困難にする。【解決手段】  遊技機において、電子部品を有する主基板１０ａを備え、主基板１０ａは、遊技機に関する情報を表示可能な７セグ表示部６１１を有する７セグ表示装置６１と、７セグ表示部６１１の視認を困難とするカバー部材６２と、を備えた構成としてある。【選択図】  図６
2018068359.tif 000002
【特許請求の範囲】
【請求項１】
電子部品を有する基板を備えた遊技機において、
前記基板は、
前記遊技機に関する情報を表示可能な表示部を有する表示装置と、
前記表示部の視認を困難とするカバー部材と、を備えた
ことを特徴とする遊技機。
【請求項２】
前記カバー部材は、
前記表示部の周囲を覆う壁部と、
前記表示部の周囲の所定箇所を覆わない開口部と、を備えた
ことを特徴とする請求項１に記載の遊技機。
【請求項３】
前記表示部は、第１の色で前記情報を表示可能であり、
前記カバー部材は、前記表示部と対向して設けられた表示カバー部を備え、
前記表示カバー部は、前記第１の色と重ねることで前記情報が識別困難となる第２の色からなる
ことを特徴とする請求項１又は２に記載の遊技機。
【請求項４】
突出部を有する遊技部品を備え、
前記突出部の少なくとも一部は、前記表示部の前方であって、当該表示部と重なる位置に設けられた
ことを特徴とする請求項１〜３のいずれか一項に記載の遊技機。
【請求項５】
前記遊技部品は、識別情報が周囲に付されたリールであり、
前記突出部は、前記リールを引き出すための取手部材である
ことを特徴とする請求項４に記載の遊技機。
【請求項６】
前記表示装置とは異なる他の表示装置を備え、
前記基板は、前記他の表示装置を動作させるための部品を有し、
前記表示装置は、前記基板上の前記部品を利用可能な位置に配置された
ことを特徴とする請求項１〜５のいずれか一項に記載の遊技機。
【発明の詳細な説明】
【技術分野】
【０００１】
本発明は、遊技に関する情報を表示可能な表示装置を基板上に備えた遊技機に関する。
【背景技術】
【０００２】
スロットマシンやパチンコなどの遊技機においては、遊技動作を制御するＣＰＵなどの電子部品が実装された基板が設けられている。
この基板には、例えば、遊技の進行を制御する主基板などと呼ばれるものが存在し、遊技機内部の所定箇所に配置されている。
このような遊技機として、例えば、特許文献１には、遊技機の設定値等の遊技情報を表示するための７セグメント表示部からなる設定表示装置を主基板（主制御基板）上に備えたものが開示されている。
この遊技機において、７セグメント表示部は、前扉を開放状態にすることで容易に視認可能な位置に設けられている（図２参照）。
【先行技術文献】
【特許文献】
【０００３】
【特許文献１】特開２００８−８６６４５号公報
【発明の概要】
【発明が解決しようとする課題】
【０００４】
しかしながら、このような遊技機においては改良の余地があった。
【課題を解決するための手段】
【０００５】
上記目的を達成するため、本発明の遊技機は、電子部品を有する基板を備え、前記基板は、遊技機に関する情報を表示可能な表示部を有する表示装置と、表示部の視認を困難とするカバー部材と、を備えている。
【図面の簡単な説明】
【０００６】
【図１】本発明の一実施形態に係るスロットマシンを示す図である。
【図２】本発明の一実施形態に係るスロットマシンの内部構成を示す概略斜視図である。
【図３】本発明の一実施形態に係るスロットマシンのブロック図である。
【図４】本実施形態の主基板の部品実装面を示す図である。
【図５】７セグ表示装置（７セグ表示部）において表示される情報を示す図である。
【図６】７セグ表示装置とカバー部材とからなる７セグユニットの図であり、（ａ）は斜視図（左は前方斜視図、右は後方斜視図）であり、（ｂ）は分解図である。
【図７】７セグユニットの正投影図であり、（ａ）は正面図、（ｂ）は平面図、（ｃ）は底面図、（ｄ）は左側面図、（ｅ）は右側面図、（ｆ）は背面図である。
【図８】（ａ）は、７セグＬＥＤを点灯させる前の状態においてカバー部材を通して７セグ表示部を見たときの図であり、（ｂ）は、７セグＬＥＤを点灯させた状態を側方から見たときの模式図であり、（ｃ）は、７セグＬＥＤを点灯させた後の状態においてカバー部材を通して７セグ表示部を見たときの図である。
【図９】主基板ケースを通して主基板上に設けられた７セグユニットを見たときの図である。
【図１０】（ａ）はスロットマシンの筐体上部の斜視図であり、（ｂ）は７セグ表示部とリールの取手部材との位置関係を示す模式図である。
【図１１】７セグ表示装置の制御系統を示す回線系統図である。
【図１２】レンズカット加工を施した主基板ケースを示す図である。
【図１３】７セグ表示装置の他の態様を示す模式図であり、（ａ）は正面側から見たときの図、（ｂ）は側方から見たときの図、（ｃ）は斜め方向から見たときの図である。
【発明を実施するための形態】
【０００７】
本発明の一実施形態に係る遊技機について、図１〜図１２を参照して説明する。
なお、遊技機には、スロットマシン、パチンコ機、パロットなど様々な種類があるが、本実施形態では、本発明をスロットマシンに適用した場合について説明する。
【０００８】
本実施形態のスロットマシン１は、通常のスロットマシンと同様、前面に開口部を有する筐体１ｂと、開口部を開閉可能に覆う前扉１ａとを備えている。
前扉１ａは、リール４１ａ〜４１ｃの周囲にそれぞれに付された連続する３つの図柄（識別情報）を機外から識別可能に構成されるとともに、遊技者により操作される複数の操作手段（２，２ａ，３，５）を備え、筐体１ｂは、リール４１ａ〜４１ｃを回転駆動させるドラムユニット４、メダルの払い出しを行うメダル払出装置７などの複数の装置、コンピュータとして動作する主制御部１０などを備えている。
【０００９】
主制御部１０は、具体的には、ＣＰＵ（メインＣＰＵ），ＲＯＭ，ＲＡＭその他の電子部品が実装されたプリント基板（以下、主基板１０ａという）からなる。
主基板１０ａは、破壊しなければ内部にアクセスすることができない無色透明な工業用樹脂（例えば、ポリカーボネート）からなるケース（主基板ケース１０ｂ）内に収容されている。
主基板ケース１０ｂは、主基板１０ａの部品実装面が前側（正面側）を向くようにして、筐体１ｂ内の上部に設けられている。
このような構成からなるスロットマシン１は、以下のようなスロットマシン遊技を実行可能に構成されている。
【００１０】
ゲームの開始にあたり、掛け数の設定を行う。
掛け数の設定は、メダルをメダル投入口２から投入することにより行うことができ、投入されたメダルは、前扉１ａの裏面に設けられたメダルセレクタ（図示省略）により検知され、所定数（例えば、３枚）のメダルの検知によりゲーム開始可能な状態となる。
また、ベットボタン２ａを操作することで、掛け数を設定することもできる。ベットボタン２ａの押下操作により、内部的に記憶したクレジットメダルからデータ形式のメダルが操作に応じて投入され、所定数（例えば、３枚）のメダルの投入により、ゲーム開始可能な状態となる。
クレジットメダルのメダル枚数は、前扉１ａの前面の所定箇所に設けられた貯留数表示部１２において表示される。
【００１１】
ゲーム開始可能な状態では、スタートレバー３の操作が有効となり、スタートレバー３が操作されると、ゲームが開始され、リール４１ａ〜４１ｃが変動を開始する。また、スタートレバー３の操作に基づいて、再遊技、小役、ボーナスなどの複数の役（ハズレを含む）の中から今回ゲームの抽選結果を決定する当選役抽選処理が実行される。
【００１２】
変動開始後、各リール４１が定速回転に達すると、各リール４１ａ〜４１ｃに対応して設けられる停止ボタン５ａ〜５ｃが押下操作可能な状態となる。それぞれの停止ボタン５が操作されると、その操作タイミングと当選役抽選処理の抽選結果とに応じた図柄の組合せで停止するように、各リール４１ａ〜４１ｃが停止制御される。
【００１３】
各リール４１ａ〜４１ｃが停止すると、各リール４１それぞれに表された上下方向に連続する３つの図柄の停止態様に基づいて入賞の有無が判定される。
入賞の判定は、所定の入賞ライン上に停止した図柄の組合せに基づいて判定され、判定の結果、その図柄の組合せに応じた特典が付与される。
例えば、小役に対応する図柄の組合せの導出により、メダル払出装置７が駆動制御され、メダルの貯留されたホッパー７ａからメダル払出口７ｂを介して所定数のメダルが払い出される。
払い出されるメダルの枚数は、前扉１ａの前面の所定箇所に設けられた払出数表示部１３において表示される。
【００１４】
このような一連の動作を１ゲームとするスロットマシン遊技は、図３に示すように、主制御部１０がベットボタン２ａ、スタートレバー３、停止ボタン５などの各入力手段からの入力に基づいて、リール４１ａ〜４１ｃやこれらを回転駆動させるパルスモータなどを備えるドラムユニット４、メダル払出装置７などの出力手段を制御することにより実現される。
【００１５】
また、スロットマシン１では、このようなスロットマシン遊技に同期した遊技演出も行われる。例えば、ボーナス遊技やＡＴ遊技への移行を示す画像演出、ファンファーレ音、及びランプ演出などがそれぞれ、液晶ＴＶなどの表示器８、スピーカ９、及びＬＥＤ等の発光手段を備えるランプ１１などの出力手段を介して出力される。
このような出力手段は、副制御部２０により制御される。
副制御部２０は、具体的には、ＣＰＵ（サブＣＰＵ），ＲＯＭ，ＲＡＭその他の電子部品が実装されたプリント基板（以下、副基板という）からなり、前扉１ａや筐体１ｂ内の所定箇所に設けられている（図示省略）。
このような副制御部２０は、主制御部１０から所定の遊技タイミングごとに受信する制御コマンドに基づいて上記制御を行う。
【００１６】
このようなスロットマシン１は、スロットマシン遊技を行う過程において、大別すると、メダルが減少することで遊技者にとって不利な状態である通常状態と、メダルが増加することで遊技者にとって有利な有利状態と、を有している。
【００１７】
有利状態は、さらに、ボーナスとＡＲＴとに大別される。
ボーナスは、所定の小役に高確率で当選するゲームが所定のメダル獲得数まで継続する有利な状態であり、ボーナス役に当選するとともにこれに対応するボーナス図柄の導出後に移行する。
ボーナスには、例えば、メダル獲得数の多い「ＢＩＧボーナス」と、メダル獲得数の少ない「ＲＥＧボーナス」とがある。
【００１８】
ＡＲＴは、ＡＴとＲＴの二つの状態が組み合わされた有利な状態である。
ＡＴは、アシスト・タイムの略称であり、各停止ボタン５に対する操作順序や、目押しの目安となる図柄等を報知することにより、当選役抽選処理の抽選結果に対応する図柄の組合せの導出をアシストする遊技状態である。
ＲＴは、リプレイ・タイムの略称であり、当選役抽選処理において抽選される再遊技（リプレイ）の当選確率が、通常状態よりも高い有利な遊技状態である。
ＡＲＴは、このようなＡＴとＲＴとが組み合わされた遊技状態であり、再遊技に高確率で当選しつつ、停止ボタン５に対する操作のアシストにより小役入賞が得られることから、手持ちのメダルが増加する遊技者に有利な遊技状態となっている。
【００１９】
このようなＡＲＴは、始期及び終期を有している。
ＡＲＴの始期は、例えば、通常状態において、所定の小役（例えば、チェリーなどのレア小役）に当選すること、かつ、この当選時に行われるＡＴ抽選処理においてＡＴに当選すること、さらに、ＲＴの開始に係る図柄の組合せが導出することなどを始期することができる。
なお、ボーナス中における所定の条件成立（所定小役の当選など）によっても、ＡＴに当選することもあり、この場合、ボーナス終了後、ＲＴの開始に係る図柄の組合せの導出等によりＲＴ開始となり、ＡＲＴに移行することもある。
ＡＲＴの終期は、例えば、所定ゲーム数の消化や、所定小役の所定回数当選などを終期とすることができる。
このような始期と終期とにより規定される期間はＡＲＴの継続期間という。
【００２０】
このような有利状態に対して、通常状態は、再遊技の当選確率がＲＴよりも低く、アシスト対象となる小役や再遊技に当選したとしても対応する押し順や目押し図柄等を報知しないことから、手持ちのメダルが減少する遊技者に不利な遊技状態となる。
以下、ＡＲＴの継続期間（ＡＴ中の期間も含む）やボーナス中の期間を「有利区間」といい、それ以外の期間を「通常区間」という。
なお、スロットマシン１では、従業員の操作によって小役やボーナスの当選確率を設定できるようになっており、例えば、有利度合いの異なる１〜６の６段階の設定値（以下、遊技設定値という）の中から任意の設定値を選択し所定の操作を行うことで当該設定値が主基板１０ａ上の記憶手段に記憶されて確定（設定確定）するようになっている。
設定確定された遊技設定値は、ボタン電池などのバックアップ電源によって、自己放電などにより電池切れの状態になるまで保持される。
【００２１】
［７セグ表示装置］
本実施形態のスロットマシン１は、遊技機に関する情報を表示可能な７セグ表示装置６１（本発明の表示装置）を備えている。
７セグ表示装置６１は、図４〜図６等に示すように、上記情報の表示面であり、４桁の英数字等の情報の表示が可能な７セグ表示部６１１を備えている。
７セグ表示部６１１は、具体的には、８個（ドットを含む）のセグメントのうち所定のセグメントを点灯（発光）することで、当該点灯に対応した１桁の情報表示が可能な７セグメントＬＥＤ（以下、７セグＬＥＤ６１２という）を左右方向に４つ配列している。
このような構成からなる７セグ表示装置６１は、主制御部１０による制御に基づいて各７セグＬＥＤ６１２を様々な点灯パターンで点灯動作させることができ、７セグ表示部６１１に点灯パターンに応じた様々な情報を表示することができる。
【００２２】
例えば、主基板１０ａのメインＣＰＵが、予めメモリに記憶させたプログラム（以下、「役比モニタプログラム」という）に基づき種々の役物比率を求め、対応するセグメントを点灯（発光）させることで、７セグ表示部６１１に表示させることができる。
役物比率としては、図５に示すように、（１）累計ゲーム間における「有利区間比率（％）」、（２）直近の６０００ゲーム間における「連役比（％）」、（３）直近の６０００ゲーム間における「役比（％）」、（４）累計ゲーム間における「連役比（％）」、（５）累計ゲーム間における「役比（％）」を挙げることができる。
本実施形態では、役比モニタプログラムは、製造時に予め記憶しておくものであるが、例えば、ウェブサイトからダウンロードしたり、外部の装置やＵＳＢメモリなどの記憶媒体から取得したりできるようにしても良い。
【００２３】
（１）の「有利区間比率」は、最初の設定確定後から現時点までの累計ゲーム間における有利区間と通常区間の比率である。
なお、上記「最初の設定確定」とは、いまだ遊技設定値が設定されていない状態（設定値エラーの状態）で設定確定を行った場合をいう。このため、一度設定が確定された場合、設定値エラーにならない限り、その後に設定変更が行われても役物比率に関する集計は行われる。以下の（４），（５）においても同様である。
（２）の「連役比」は、現時点から過去６０００ゲームに遡る間におけるＢＩＧボーナスのゲーム回数の比率（連続役物比率）である。
ただし、例えば、４００ゲームを１セットとして集計を繰り返し、１５セットの累計に基づいて「連役比」を求めることもできる。
また、これに限らず、１セットあたりのゲーム回数を６０００／ｎ回（但し、ｎ＝２，３，４，５，６，１０，１２のいずれか）とし、ｎセットの累計に基づいて「連役比」を求めることもできる。なお、このような算出方法は、（３）においても適用することができる。
（３）の「役比」は、現時点から過去６０００ゲームに遡る間におけるＲＥＧボーナスのゲーム回数の比率（役物比率）である。
（４）の「連役比」は、最初の設定確定後から現時点までの累計ゲーム間におけるＢＩＧボーナスのゲーム回数の比率である。
（５）の「役比」は、最初の設定確定後から現時点までの累計ゲーム間におけるＲＥＧボーナスのゲーム回数の比率である。
【００２４】
７セグ表示部６１１は、左２桁が、表示内容を示す表示領域（以下、「識別セグ」という）である。具体的には、２桁の英数字の略記によって表示内容が上記（１）〜（５）のうちのいずれかであることが示される（図５参照）。
７セグ表示部６１１は、右２桁が、識別セグで示された表示内容の比率を示す表示領域（以下、「比率セグ」という）であり、２桁の数字によって当該比率が表される。
例えば、７セグ表示部６１１の表示が、「７Ｕ.７０」であれば、識別セグが「７Ｕ.」であり、比率セグが「７０」であることから、そのスロットマシン１の現時点での「有利区間比率」は７０％であることを把握することができる。
【００２５】
また、上記（１）〜（５）の各比率が、所定の閾値範囲に含まれない場合には、該当する比率が閾値範囲に正常値でないことを報知することも可能である。
例えば、（１）の「有利区間比率」が７０％以上の場合、（２）や（４）の「連役比」が６０％以上の場合、（３）や（５）の「役比」が７０％以上の場合は、該当する表示内容を表示する際に、比率セグの情報を点滅表示させることで、そのことを報知することができる。
これに以外にも、（２）の「連役比」や（３）及び「役比」について、累計ゲーム数が６０００ゲームに到達していない場合や、（１）の「有利区間比率」、（４）の「連役比」、及び（５）の「役比」について、累計ゲーム数が所定ゲーム数（例えば、１７５，０００ゲーム）に到達していない場合は、識別セグを点滅表示させることで、そのことを報知することができる。
【００２６】
このような７セグ表示装置６１によれば、７セグ表示部６１１に表示される情報を見るだけで、そのスロットマシン１の遊技状態に関する情報や傾向をリアルタイムに得ることができる。
このため、スロットマシン１に対し不正が行われていないかどうかの判断に役立てることができる。
【００２７】
［７セグユニットについて］
７セグ表示装置６１は、図２や図４に示すように、筐体１ｂの上部の主基板１０ａ上に配置されている。
主基板１０ａは、具体的には、従業員や管理者など（以下、従業員等という）が立った状態において目線のやや下方に配置されているのが一般的である。
このため、従業者等は、前扉１ａを開放するだけで容易に７セグ表示部６１１の表示情報を視認することができる。
ところが、この反面、例えば、従業員がメダル補給等のために前扉１ａを開放したときに、遊技中の遊技者によって表示情報を見られることも考えられ、これにより、遊技機に関する情報を不用意に、又は、不当に遊技者に知られるおそれがある。
【００２８】
そこで、本実施形態のスロットマシン１は、７セグ表示部６１１の視認を困難とするカバー部材６２を設け、当該カバー部材６２を７セグ表示装置６１と一体にした７セグユニット６を設けている。
カバー部材６２は、具体的には、図６や図７に示すように、７セグ表示部６１１の前方（正面側）に設けられた部材である。
カバー部材６２は、７セグ表示部６１１と対向する位置に配置される矩形状の表示カバー部６２０を備えている。
また、カバー部材６２は、７セグ表示部６１１の周囲を、当該周囲に沿って覆うように立設配置される壁部６２１を設けている。
壁部６２１は、７セグ表示部６１１の周囲の右側部及び左側部を覆う部分と、７セグ表示部６１１の周囲の下部を覆う部分によって構成されている。
表示カバー部６２０は、左側及び右側の短辺がそれぞれ左側及び右側の壁部６２１とつながるとともに、下側の長辺が下側の壁部６２１とつながりつつ、７セグ表示部６１１の前方に対し、上部が下部よりも出た傾斜状態で覆うように設けられている（図６（ｂ）参照）。
【００２９】
このように、本実施形態の７セグユニット６は、７セグ表示部６１１の周囲の上部（所定箇所）は覆わない形状にしており、当該周囲を覆わないことにより上部に形成される開口を開口部６２２として備えている。
このようにすると、７セグ表示部６１１の上部はこれを遮る障害物はないため、上方（斜め上方）から７セグ表示部６１１を見ることができる。
これにより、例えば、従業員等が、遊技中のスロットマシン１の前扉１ａを開放したときには、従業員等は通常立った状態であることが想定されるため、目線の下方に位置する７セグ表示部６１１を見下ろすようにして視認することができる。
他方、７セグ表示部６１１の前部、側部及び下部には、これらを遮る表示カバー部６２０及び壁部６２１を設けているため、前方、側方及び下方から７セグ表示部６１１を見ても、これらが障害物となって視認することができない。
例えば、従業員等が、遊技中のスロットマシン１の前扉１ａを開放した場合において、遊技者が７セグ表示部６１１を見ようとしても、７セグ表示部６１１の正面側には従業員がいるため見えにくいが、この場合、仮に遊技者が、従業員を避けて横から覗き込もうとしても、カバー部材６２の前部及び側部に設けた表示カバー部６２０及び壁部６２１によって遮られ、７セグ表示部６１１を視認することができない。
加えて、遊技者の身長が低い場合など、仮に遊技者が下方から見た場合でも、カバー部材６２の下部の壁部６２１によって７セグ表示部６１１を視認困難としている。
【００３０】
このように、本実施形態の７セグユニット６によれば、所定の角度からは７セグ表示部６１１を視認可能ではあるが、所定の角度以外からは７セグ表示部６１１を視認困難とすることができる。
すなわち、７セグ表示部６１１に表示される情報は、従業員等の立ち位置からのみ視認可能になるように、カバー部材６２を構成している。
したがって、このような７セグユニット６によれば、従業員等からは遊技機に関する情報を取得し易いものの、遊技者からは当該情報を取得し難くすることができる。
なお、カバー部材６２は、例えば、可視光を通さない部材やスモーク加工が施された部材などを用いることで、７セグ表示部６１１の正面、側方、下方からの視認を困難とすることができるが、次に示すように、透明部材を用いることによっても同様の作用効果を奏することができる。
【００３１】
［７セグＬＥＤの発光色とカバー部材の色の組合せについて］
上述したように、本実施形態の７セグユニット６は、カバー部材６２として有色の透明部材を用いることができ、この場合、７セグＬＥＤ６１２の発光色との関係によって、７セグ表示部６１１の視認を困難にすることができる。
このような効果について、７セグＬＥＤ６１２の発光色（本発明の「第１の色」）が赤色で、カバー部材６２をなす透明部材の色が緑色（本発明の「第２の色」）の場合について、図８を参照しながら説明する。
なお、この７セグＬＥＤ６１２は、各セグメントの表面が赤色の透明部材により構成されており、内部のＬＥＤ素子の発光に応じてセグメントから赤色の光が出射されるものとする。
【００３２】
図８（ａ）は、７セグＬＥＤを点灯させる前の状態における７セグ表示部を示す図である。
同図に示すように、７セグＬＥＤ６１２を点灯させていない状態で、カバー部材６２を通して７セグ表示部６１１を見ると、カバー部材６２が緑色透明であることから、７セグＬＥＤ６１２の各セグメントは暗く（黒く）見える。
これは、色の三原色の原理に基づくものであり、７セグＬＥＤ６１２の各セグメントにおいて反射される赤色（マゼンタに相当）の光が、カバー部材６２の緑色（シアンとイエローの混色に相当）との混合によって吸収される結果、セグメントと重なるカバー部材６２の部分を光が透過しないからである。
【００３３】
次に、図８（ｂ）に示すように、７セグＬＥＤ６１２の任意のセグメントを点灯させる。
これにより、該当するセグメントから赤色の光が前方に照射される（図８（ｂ）の矢印参照）。
例えば、右端の７セグＬＥＤ６１２の数字「１」に対応するセグメント（右側の上下２つのセグメント）を点灯させることにより、当該セグメントからカバー部材６２に対し赤色の光が照射される。
【００３４】
ここで、カバー部材６２を通して７セグ表示部６１１を見ると、カバー部材６２が緑色透明であることから、点灯させたセグメントも点灯させていないセグメントと同様に暗く（黒く）見える。
これは、点灯させたセグメントについても、当該セグメントから照射された赤色（マゼンタに相当）の光が、緑色（シアンとイエローの混色に相当）のカバー部材６２に入射することで吸収され、セグメントと重なるカバー部材６２の部分を透過しないことにより（図８（ｂ）参照）、暗く（黒く）見えるからである。
すなわち、７セグＬＥＤ６１２の点灯前の状態においては、すべてのセグメントは一様に暗く（黒く）見え、この状態において、任意のセグメントを点灯させた場合でも、変わらず、すべてのセグメントは、一様に暗く（黒く）見える。
【００３５】
このような７セグユニット６によれば、カバー部材６２を通して７セグ表示部６１１を見たとしても、７セグＬＥＤ６１２の点灯により表示される情報を識別することはできない（図８（ｃ）参照）。
したがって、図９に示すように、遊技者が、透明の主基板ケース１０ｂを通して主基板１０ａ上に設けられている７セグユニット６を見ても、７セグ表示部６１１に表示される情報を識別することはできない。
【００３６】
なお、上述した色の組合せに限らず、様々な色の組合せによって、７セグ表示部６１１に表示される情報を視認困難にすることができる。
例えば、７セグＬＥＤ６１２の発光色が緑色の場合、赤色透明のカバー部材６２を用いることで、同様の作用効果を奏することができる。
すなわち、７セグＬＥＤ６１２の発光色とカバー部材６２の色の混色が暗色（黒色）となる色の組合せであれば、どのような組み合わせでもよい。
【００３７】
［遊技部品と７セグ表示部の位置関係について］
本実施形態のスロットマシン１は、所定の遊技部品との関係においても７セグ表示部６１１を視認困難とすることもできる。
「所定の遊技部品」とは、突出部を有する遊技部品であり、当該突出部の少なくとも一部は、７セグ表示部６１１の前方であって、当該７セグ表示部６１１と重なる位置に設けられたものである。
このような遊技部品として、図１０（ａ）に示すように、リール４１（ドラムユニット４）を引き出すための取手部材４２を挙げることができる。
【００３８】
取手部材４２は、図１０（ａ），（ｂ）に示すように、ドラムユニット４が筐体１ｂに収められた状態において、筐体１ｂの前方側において、リール４１（ドラムユニット４）の上部の中央に配置しており、他方、７セグユニット６は、筐体１ｂの奥側において、リール４１の上部に設けられた主基板１０ａの下部中央に設けられている。
このため、取手部材４２は、７セグ表示部６１１の前方において当該７セグ表示部６１１と重なる位置に設けられている（図１０（ｂ）参照）。
このような、取手部材４２と７セグ表示部６１１との位置関係によれば、正面から７セグ表示部６１１を見ようとしても、取手部材４２が障害物となるため見づらくすることができる。
【００３９】
［７セグＬＥＤの動作確認を可能な構成について］
本実施形態のスロットマシン１は、７セグＬＥＤ６１２の各セグメントをすべて点灯させる（１セグメントずつ順次、又は、全セグメントを同時に点灯させることを含む）テストプログラムを予め記憶することができる。
このようなテストプログラムによれば、不具合のあるセグメントは点灯しないため、各７セグＬＥＤ６１２や各セグメントが正常か異常かといった動作確認を、視覚を通じて行うことができる。
これにより、７セグＬＥＤ６１２に物理的にアクセスしなくとも、容易に当該７セグＬＥＤ６１２の動作確認を行うことができる。
【００４０】
また、このようなテストプログラムは、所定の条件を満たしたときに自動的に動作させることができる。
例えば、遊技機の出荷（製造）後に初めて電源を投入した際、６段階の遊技設定値の何れかが設定されているか否かを確認し、これらの設定値が設定されていない場合に、自動的にテストプログラムを動作させるようにすることができる。
この場合、役比モニタプログラムは、テストプログラムを一定時間動作させた後に動作するようにすることができる。
このようにすると、遊技機を出荷し、遊技場に搬入・設置した後でも、従業員が遊技設定値を設定するまでの間は、７セグＬＥＤ６１２に動作確認を行うことができる。
また、遊技機を出荷し、遊技場に搬入・設置した後は、７セグＬＥＤ６１２は、主基板ケース１０ｂ内に収納されているところ、当該主基板ケース１０ｂを破壊することなく動作確認を行うことができる。
なお、遊技設定値は、一度設定すると、バックアップ電源が切れるまで保持される情報であるため、一度遊技設定値を設定してしまえば、上記テストプログラムが動作することは、殆ど無い。
【００４１】
なお、上記テストプログラムに代えて、主制御部１０が、各７セグＬＥＤ６１２の正常性を判定し、その判定結果を、７セグ表示部６１１に表示するテストプログラムを用いることもできる。
具体的には、ＣＰＵ又は各ＩＣから各７セグＬＥＤ６１２に対し、所定の電気信号を出力し、所定端子における電圧の有無によって開放や短絡の検出を試みる。
開放や短絡が検出されなかった場合には各７セグＬＥＤ６１２は正常と判定し、その判定結果を示す情報を７セグ表示部６１１に表示させる。
例えば、すべての７セグＬＥＤ６１２が正常であると判定された場合に、４桁の７セグＬＥＤ６１２によって「１１１１」を点灯・点滅させることができる。
他方、正常でない７セグＬＥＤ６１２が含まれるなど、すべての７セグＬＥＤ６１２が正常であると判定されなかった場合に、４桁の７セグＬＥＤ６１２によって「ＥＥＥＥ」を点灯・点滅させることができる。
【００４２】
この他、電源投入後において遊技設定値が設定されている場合に、上記テストプログラムを動作させるようにしても良い。
また、遊技設定値の設定の如何を問わず、電源投入をトリガーとして、上記テストプログラムを動作させることもできる。
【００４３】
［主基板における７セグ表示装置の位置について］
ところで、前扉１ａの前面に設けられている貯留数表示部１２や払出数表示部１３等は、本発明の７セグ表示装置６１と同様、複数の７セグＬＥＤからなる７セグ表示装置によって構成されており、従来からスロットマシン１に備えられている。
このような観点から、貯留数表示部１２や払出数表示部１３等を構成する７セグ表示装置（本発明の他の表示装置）を「従来の７セグ表示装置」ということができる。
【００４４】
従来の７セグ表示装置は、図１１に示すように、主基板１０ａにおいて、ＣＰＵ（メインＣＰＵ）による制御に基づき、駆動部品である２つのＩＣ（ＩＣ（０）とＩＣ（１））によって駆動（表示動作）される。
例えば、ＩＣ（１）が、複数の７セグＬＥＤのうちどの７セグＬＥＤを点灯させるかといった選択制御を行い、ＩＣ（０）が、どのように点灯表示するか（どのセグメントを点灯させるか）を制御する。
このため、主基板１０ａにおいては、ＣＰＵからＩＣ（０）及びＩＣ（１）に対してそれぞれ所定のプリント配線が設けられている（図４参照）。
【００４５】
具体的には、ＣＰＵからは、７セグＬＥＤの各セグメントに対応したデータバスや、各ＩＣをそれぞれ選択可能に制御するためのチップセレクトに対応した制御回線が設けられている（図１１参照）。
なお、ＩＣ（０）及びＩＣ（１）から従来の７セグ表示装置に対しても、同様の制御回線が設けられている。
ＩＣ（０）からは、データバスに対応した制御回線が設けられており、ＩＣ（１）からは、チップセレクトに対応した制御回線が設けられている。
【００４６】
本発明の７セグ表示装置６１も、従来の７セグ表示装置と同様、ＣＰＵ（メインＣＰＵ）による制御に基づき、駆動部品である２つのＩＣ（ＩＣ（２）とＩＣ（３））によって駆動（表示動作）される。
例えば、ＩＣ（３）が、７セグ表示装置６１を構成する４つの７セグＬＥＤ６１２のうちどの７セグＬＥＤ６１２を点灯させるかといった選択制御を行い、ＩＣ（２）が、どのように点灯表示するか（どのセグメントを点灯させるか）を制御する。
このため、本来は、主基板１０ａにおいて、ＣＰＵからＩＣ（２）及びＩＣ（３）に対してそれぞれ制御回線（プリント配線）を新たに設ける必要がある。
ところが、主基板１０ａには、ＣＰＵやＩＣを含め様々な電子部品が多く実装され、これらの電子部品間においても配線が隙間なく張り巡らされていることから、上記制御回線のための十分な配線スペースを確保することは困難である。
【００４７】
そこで、本実施形態のスロットマシン１は、本発明の７セグ表示装置６１は、主基板１０ａ上において、従来の７セグ表示装置を動作させるための部品（配線等）を利用可能な位置に配置するようにしている。
具体的には、本発明の７セグ表示装置６１を、ＣＰＵ〜ＩＣ（０），ＩＣ（１）の配線区間の近傍に配置することで、ＩＣ（２），ＩＣ（３）をこの配線区間の近傍に配置するようにしている（図４参照）。
そして、主基板１０ａ上に設けられているＣＰＵ〜ＩＣ（０），ＩＣ（１）間の配線の途中の分岐箇所からＩＣ（２），ＩＣ（３）までの区間についてデータバスに対応する配線を新たに設けるようにしている。
なお、チップセレクトに対応する制御回線は、ＣＰＵとＩＣ（２），ＩＣ（３）の間に新たに設ける。
【００４８】
このような構成によれば、従来の７セグ表示装置の制御回線の一部を、本発明の７セグ表示装置６１の制御回線として利用しつつ、ＣＰＵにおけるチップセレクトの選択制御によりＩＣや７セグＬＥＤ６１２を高速に切り替えることによって、従来の７セグ表示装置と本発明の７セグ表示装置６１をともに駆動させることができる（ダイナミック点灯方式）。
このため、本発明の７セグ表示装置６１の制御回線としての配線を短くすることができ、主基板１０ａ上に配線スペースがあまりなくても対応することができる。
また、このような構成によれば、ＣＰＵやＩＣの端子（ポート）を共用することができるため、これらの電子部品の必要端子数（ポート数）を抑えることもできる。
【００４９】
［主基板ケースのレンズカット］
本発明のスロットマシン１は、主基板ケース１０ｂの７セグ表示部６１１と対向する特定領域を加工することによっても、７セグ表示部６１１の情報を視認困難にすることができる。
例えば、図１２に示す主基板ケース１０ｂの特定領域に対し、光を乱反射（拡散）させることが可能なダイヤカットなどのレンズカット処理を施す。
【００５０】
このようにすると、７セグＬＥＤ６１２からの照射光が拡散されるため、７セグ表示部６１１の表示情報を識別困難にすることができる。
このほか、特定領域を含む下側領域全体に対してレンズカット処理を施すことで、下方や側方からの識別を困難にすることができる。
このため、７セグ表示部６１１に対し、カバー部材６２を設けない場合であっても、カバー部材６２を設けた場合と同様に、遊技者からの視認を困難にすることができる。
【００５１】
以上のように、本実施形態のスロットマシン１は、電子部品を有する主基板１０ａを備え、主基板１０ａは、遊技機に関する情報を表示可能な７セグ表示部６１１を有する７セグ表示装置６１と、７セグ表示部６１１の視認を困難とするカバー部材６２と、を備えるなど、様々な特徴的な構成を備えている。
これにより、遊技者からは主基板１０ａ上の７セグ表示部６１１に表示される情報を視認困難にすることができる。
【００５２】
一方、従来の遊技機には、遊技機の設定値等の遊技情報を表示するための７セグメント表示部を主基板上に備え、前扉を開放状態にすることで７セグメント表示部に表示される遊技情報を視認可能なものが知られている。
しかしながら、このような従来の遊技機は、従業員だけでなく、遊技者によっても遊技情報を知られるおそれがあった。
本発明の遊技機によれば、従来の遊技機が改善すべきこのような課題の全部又は一部を解決することができる。
【００５３】
以上、本発明の遊技機について、好ましい実施形態を示して説明したが、本発明に係る遊技機は、上述した実施形態にのみ限定されるものではなく、本発明の範囲で種々の変更実施が可能であることは言うまでもない。
例えば、上記実施形態の７セグユニット６は、７セグ表示部６１１の周囲の上部を覆わないようにしたが、他の箇所を覆わないようにすることができる。
具体的には、７セグ表示部６１１の周囲の側部を覆わずに、当該側部を開口部６２２とすることで、側方から７セグ表示部６１１を視認することができ、側方以外からは７セグ表示部６１１を視認困難にすることができる。
また、７セグユニット６は、主基板１０ａ上の中央下部に設けられているが、主基板１０ａ上であればどのような位置にも設けることができる。
【００５４】
また、７セグ表示装置６１の表示面（７セグ表示部６１１）を、所定の角度を付けた態様とすることもできる。
例えば、図１３（ａ）〜（ｃ）に示すように、端子の形状がアングル状（直角状）の７セグ表示装置６１を用い、これを７セグ表示部６１１が上方を向くようにして主基板１０ａ上に設けることができる。
このような構成によっても、上方以外からは７セグ表示部６１１を視認できないようにすることができる。
なお、端子の角度を変えることによって７セグ表示部６１１を様々な方向（角度）に向けることができる。
【００５５】
また、１つの基板ケース内に主基板１０ａと副基板を設け、当該副基板に７セグユニット６を設けることもできる。
また、７セグＬＥＤ６１２は、左右方向に４つ並べることで横方向に配列された７セグ表示部６１１を構成したが、このような配列に限らず様々な態様で配列した構成にすることができる。
例えば、７セグＬＥＤ６１２を、上下方向に４つ並べることで縦方向に配列することができる。
また、７セグＬＥＤ６１２を、上段と下段にそれぞれ２つずつ並べたり、左側と右側にそれぞれ２つずつ並べたりすることができる。
【００５６】
また、本実施形態のスロットマシン１は、７セグ表示部６１１において、「有利区間比率」（図５の（１）参照）を表示するようにしているが、ＡＲＴなどの遊技状態がない遊技機の場合は、特に表示しなくてもよい。
また、同様に、ボーナスがない遊技機の場合は、「連役比（連続役物比率）」（図５の（２），（４）参照）や「役比（役物比率）」（図５の（３），（５）参照）を表示しなくてもよい。
【符号の説明】
【００５７】
１  スロットマシン（遊技機）
１０  主制御部
１０ａ  主基板
１０ｂ  主基板ケース
６  ７セグユニット
６１  ７セグ表示装置
６１１  ７セグ表示部
６１２  ７セグＬＥＤ
６２  カバー部材
６２０  表示カバー部
６２１  壁部
６２２  開口部
【図１】
2018068359.tif 000003
【図２】
2018068359.tif 000004
【図３】
2018068359.tif 000005
【図４】
2018068359.tif 000006
【図５】
2018068359.tif 000007
【図６】
2018068359.tif 000008
【図７】
2018068359.tif 000009
【図８】
2018068359.tif 000010
【図９】
2018068359.tif 000011
【図１０】
2018068359.tif 000012
【図１１】
2018068359.tif 000013
【図１２】
2018068359.tif 000014
【図１３】
2018068359.tif 000015